(57)【特許請求の範囲】
【請求項１】
上側係止体（１）と下側押え体（２）とからなり、上側係止体（１）は係止板（１ａ）の基端部を略Ｌ字状に屈曲して立ち上がり部（１ｂ）及び上押え部（１ｃ）を形成し、下側押え板体（２）は下押え板（２ａ）の先端を上方に屈曲して折曲げ部（２ｂ）を形成し、前記上押え部（１ｃ）と下押え板（２ａ）との間に空間部（Ｓ）を形成し、この空間部（Ｓ）の両側方を覆う側壁（８）を前記上側係止体（１）の略Ｌ字状に屈曲した部分の両側に設け、垂れ蓋の係止ベルト（Ｂ）の先端面が前記折曲げ部（２ｂ）に近接又は接触するようにして、前記空間部（Ｓ）に前記係止ベルト（Ｂ）の先端部を挟み込んだことを特徴とする鞄用垂れ蓋の係止金具。
【請求項２】
前記側壁（８）が前記空間部（Ｓ）の両側方の全部を覆うものとしたことを特徴とする請求項１記載の鞄用垂れ蓋の係止金具。
【請求項３】
前記係止ベルト（Ｂ）に摘み体（Ｐ）を重合させて、これらの先端面が前記折曲げ部（２ｂ）に近接又は接触するようにしたことを特徴とする請求項１又は２記載の鞄用垂れ蓋の係止金具。
【請求項４】
前記係止板（１ａ）と上押え部（１ｃ）とが成す角度を１５〜２５度の範囲にしたことを特徴とする請求項１〜３の何れかに記載の鞄用垂れ蓋の係止金具。
【発明の詳細な説明】
【技術分野】
【０００１】
この発明は、ランドセル等の鞄における垂れ蓋の係止金具に関するものである。
【背景技術】
【０００２】
従来、この種の鞄用垂れ蓋の係止金具は、図５及び図６に示したように、ランドセル本体の底部に設けられた固着ベースに軸支された係止体（図示せず）に係止するための係止孔１１を形成した下側係止板１２と、ランドセル本体の垂れ蓋の遊端（図示せず）に取り付けた係止ベルト１３の先端部及び摘み体１４の先端部を重合させた状態で挟み込み、前記下側係止板１２の基端との間にリベット１５により固着するようにした上側押え板１６からなるものとしている（特許文献１、２）。
【０００３】
前記下側係止板１２は、平板状の金属板からなり、先端には環状のフック１７が形成され、中間部には前記係止孔１１が前後に複数個（図示したものでは二個）並べて形成されている。
【０００４】
前記上側押え板１６は、平板状の金属板とした主板１６ａをＬ字状に屈曲して、この主板１６ａの先端部に折曲げ片１６ｂを形成したものとしており、前記下側係止板１２の基端側に折曲げ片１６ｂの下端を接触させて、主板１６ａと下側係止板１２との間に生じた空間部Ｓに、前記係止ベルト１３及び摘み体１４を重合させた状態で挟み込み、これらの先端面が前記折曲げ片１６ｂで覆われるようにしている。
【０００５】
さらに、図６に示した鞄用垂れ蓋の係止金具では、前記主板１６ａと下側係止板１２の間に生じた空間部Ｓの両側方を覆う側壁１８を前記主板１６ａと折曲げ片１６ｂの屈曲部に形成したものとし、係止ベルト１３の先端部の両側面及び摘み体１４の先端部の両側面が前記側壁１８で覆われるようにしている（特許文献２）。
【０００６】
そのため、図５及び図６に示した従来の鞄用垂れ蓋の係止金具では、係止ベルト１３の先端面及び摘み体１６の先端面が折曲げ片１６ｂで覆われているため、これらの部分が解れたりすることがないので、長期間、体裁良く使用することができる。
【０００７】
さらに、図６に示した従来の鞄用垂れ蓋の係止金具では、係止ベルト１３の先端部の両側面及び摘み体１４の先端部の両側面が前記側壁１８で覆われているため、これらの部分が解れたり、露出することがないので、長期間、より体裁良く使用することができる。
【先行技術文献】
【特許文献】
【０００８】
【特許文献１】実用新案登録第３０７７５８７号公報
【特許文献２】特許第３７１２２０６号公報
【発明の概要】
【発明が解決しようとする課題】
【０００９】
しかしながら、上記従来の鞄用垂れ蓋の係止金具では、垂れ蓋の開閉を行う場合、下側係止板１２のフック１７を指で摘んで、持ち上げたり、引き下げたりするが、この持ち上げたり、引き下げたりする毎に、下側係止板１２の基端側に折曲げ片１６ｂの下端を接触させた部分に曲げ応力が働き、その接触させた部分から下側係止板１２が次第に曲がってしまい、長期間の使用によっては、下側係止板１２をランドセル本体の底部に設けられた固着ベースに軸支された係止体に係止させた場合に、がたついてしまったり、この係止体に係止させ難くなるという問題点を有していた。
【００１０】
そこで、この発明は、上記従来の問題点を解決するものであり、係止ベルトの先端面、先端部の両側面及び摘み体の先端面、先端部の両側面が解れたりすることがなく、長期間、体裁良く使用することができ、しかも長期間の使用によっても鞄本体に設けられた固着ベースに軸支された係止体にがたつくことなく係止することができ、この係止体に係止させ難くなるということもない鞄用垂れ蓋の係止金具を提供することを目的としてなされたものである。
【課題を解決するための手段】
【００１１】
この発明の鞄用垂れ蓋の係止金具は、上側係止体１と下側押え体２とからなり、上側係止体１は係止板１ａの基端部を略Ｌ字状に屈曲して立ち上がり部１ｂ及び上押え部１ｃを形成し、下側押え板体２は下押え板２ａの先端を上方に屈曲して折曲げ部２ｂを形成し、前記上押え部１ｃと下押え板２ａとの間に空間部Ｓを形成し、この空間部Ｓの両側方を覆う側壁８を前記上側係止体１の略Ｌ字状に屈曲した部分の両側に設け、垂れ蓋の係止ベルトＢの先端面が前記折曲げ部２ｂに近接又は接触するようにして、前記空間部Ｓに前記係止ベルトＢの先端部を挟み込んだものとしている。
【００１２】
そして、この発明の鞄用垂れ蓋の係止金具は、前記側壁８が前記空間部Ｓの両側方の全部を覆うものとしている。
【００１３】
さらに、この発明の鞄用垂れ蓋の係止金具は、前記係止ベルトＢに摘み体Ｐを重合させて、これらの先端面が前記折曲げ部２ｂに近接又は接触するようにしている。
【００１４】
また、この発明の鞄用垂れ蓋の係止金具は、前記係止板１ａと上押え部１ｃとが成す角度を１５〜２５度の範囲にしている。
【発明の効果】
【００１５】
この発明の鞄用垂れ蓋の係止金具は、以上に述べたように構成されているので、係止ベルトの先端面、先端部の両側面及び摘み体の先端面、先端部の両側面が解れたりすることがなく、長期間、体裁良く使用することができ、しかも長期間の使用によっても鞄本体に設けられた固着ベースに軸支された係止体にがたつくことなく係止することができ、この係止体に係止させ難くなるということもなくなった。
【図面の簡単な説明】
【００１６】
【図１】この発明の鞄用垂れ蓋の係止金具を、ランドセル等の鞄の垂れ蓋の遊端に取り付けた係止ベルトに固着した状態を示す斜視図である。
【図２】図１に示すこの発明の鞄用垂れ蓋の係止金具の分解斜視図である。
【図３】図１に示すこの発明の鞄用垂れ蓋の係止金具の側面図である。
【図４】図１に示すこの発明の鞄用垂れ蓋の係止金具の上側係止板の裏面側から見た斜視図である。
【図５】従来の鞄用垂れ蓋の係止金具の一例を示す斜視図である。
【図６】従来の鞄用垂れ蓋の係止金具の他の例を示す側面図である。
【発明を実施するための形態】
【００１７】
以下、この発明の鞄用垂れ蓋の係止金具を実施するための形態を、図面に基づいて詳細に説明する。
【００１８】
図１〜３は、ランドセルの垂れ蓋の遊端に取り付けた係止ベルトＢに固着したこの発明の鞄用垂れ蓋の係止金具を示しており、上側係止体１と下側押え体２とからなるものとしている。
【００１９】
上側係止体１は、平板状の金属板とした係止板１ａの係止ベルトＢ側の基端部を略Ｌ字状に屈曲して、立ち上り部１ｂ及び上押え部１ｃを形成している。前記係止板１ａの先端部には、環状のフック３が形成され、中間部には係止孔４が前後に複数個（図示したものでは二個）並べて形成されている。さらに、前記上押え部１ｃには、リベット止め用のリベット孔５が設けられている。
【００２０】
下側押え体２は、平板状の金属板とした下押え板２ａの先端を上方に屈曲して折曲げ部２ｂを形成している。前記下押え板２ａは、中央部に横長の窓孔６が設けられ、この窓孔６の両側に、前記上押え部１ｃのリベット孔５に対応するリベット孔７が設けられている。
【００２１】
そして、この発明の鞄用垂れ蓋の係止金具は、前記立ち上がり部１ｂの内面に前記折曲げ部２ｂが近接又は重なり合うようにして、前記上押え部１ｃと下押え板２ａとの間に空間部Ｓを形成している。前記立ち上がり部１ｂの内面に前記折曲げ部２ｂが近接又は重なり合うようにした場合、前記折曲げ部２ｂの上端が上押え部１ｃに接触するようにしても、接触しないようにしてもよい。
【００２２】
前記上側係止体１の略Ｌ字状に屈曲した部分の両側には、前記空間部Ｓの両側方を覆う側壁８を設けたものとし、ランドセル等の鞄の垂れ蓋（図示せず）の係止ベルトＢに摘み体Ｐを重合させて、これらの先端面が前記折曲げ部２ｂに近接又は接触するようにして、前記空間部Ｓに前記係止ベルトＢ及び摘み体Ｐのそれぞれの先端部を挟み込み、これら係止ベルトＢ及び摘み体Ｐを上側係止体１と下押え体２の間に、リベット止めすることにより固着したものとしている。なお、図示したものは、前記係止ベルトＢは、摘み体Ｐを重合させたものとしているが、摘み体Ｐを省いたものとしてもよい。
【００２３】
さらに、この発明の鞄用垂れ蓋の係止金具は、図示したものでは、前記側壁８は、前記空間部Ｓの両側方の一部（略前半部）を覆ったものとしているが、前記空間部Ｓの両側方の全部を覆ったものとしてもよい。前記側壁８で前記空間部Ｓの両側方の全部を覆ったものとした方が、係止ベルトＢ及び摘み体Ｐのそれぞれの先端部の両側面を大きく覆うことができるので、体裁がより良いものとなる。
【００２４】
また、この発明の鞄用垂れ蓋の係止金具は、前記側壁８の存在により、上側係止体１の略Ｌ字状に屈曲した部分が補強され、強度性に優れたものとなる。なお、前記側壁８は、絞り加工によって前記立ち上がり部１ｂ及び上押え部１ｃと連接したものとして、上側係止体１の略Ｌ字状に屈曲した部分の両側に設けたものとするのが、加工性において優れたものとなり、強度性においてもより優れたものとなる。
【００２５】
また、この発明の鞄用垂れ蓋の係止金具は、従来のように前記係止板１ａと立ち上り部１ｂとが成す角度を９０度にし、前記立ち上がり部１ｂと上押え部１ｃとが成す角度を９０度にすることにより、前記係止板１ａと上押え部１ｃとが成す角度を０度、すなわち前記係止板１ａと上押え部１ｃとを平行にしたものとしてもよいが、図示したものでは、前記係止板１ａと立ち上がり部１ｂとが成す角度を約６０度にし、前記立ち上がり部１ｂと上押え部１ｃとが成す角度を約１４０度にすることにより、前記係止板１ａと上押え部１ｃとが成す角度を約２０度にしている。さらに、前記係止板１ａと上押え部１ｃとが成す角度は、前記係止板１ａと立ち上がり部１ｂとが成す角度を４５〜７５度の範囲にし、前記立ち上がり部１ｂと上押え部１ｃとが成す角度を１２０〜１６０度の範囲にすることにより、１５〜２５度の範囲に調節することができる。
【００２６】
前記係止板１ａと上押え部１ｃとが成す角度を１５〜２５度の範囲にしたものは、ランドセル等の鞄本体に設けられた固着ベースに軸支された係止体に、前記上側係止板１を係止させる場合に、この係止体が自動回転するための操作ボタンを固着ベースの設けたものなどでは、前記係止板１ａと上押え部１ｃとを平行にしたものより、操作性が良いものとなる。
【００２７】
以上に述べたように構成されたこの発明の鞄用垂れ蓋の係止金具では、ランドセル等の鞄の垂れ蓋の遊端に取り付けた係止ベルトＢの先端面及び摘み体Ｐの先端面が、上側係止体１の立ち上り部１ｂ及び下側押え体２の折り曲げ部２ｂによって覆われているため、これらの部分が露出せず、解れたりすることがないので、長期間、体裁良く使用できるものとなる。
【００２８】
さらに、この発明の鞄用垂れ蓋の係止金具では、前記係止ベルトＢの先端部の両側面及び摘み体Ｐの先端部の両側面が、側壁８によって覆われているため、これらの部分が露出せず、解れたりすることがないので、長期間、より体裁良く使用できるものとなる。
【００２９】
しかも、この発明の鞄用垂れ蓋の係止金具では、前記側壁８の存在により上側係止体１の略Ｌ字状に屈曲した部分が補強され、強度性に優れたものとなるので、ランドセル等の鞄の垂れ蓋の開閉を行う場合、上側係止板１のフック３を指で摘んで、持ち上げたり、引き下げたりする毎に、前記略Ｌ字状に屈曲した部分に曲げ応力が働いても、この部分は曲がってしまうことがなく、長期間の使用によっても、上側係止体１をランドセル等の鞄本体の底部に設けられた固着ベースに軸支された係止体に係止させた場合に、がたついてしまったり、この係止体に係止させ難くなるということもないものとなる。
【符号の説明】
【００３０】
１  上側係止体
１ａ  係止板
１ｂ  立ち上り部
１ｃ  上押え部
２  下側押え体
２ａ  下押え板
２ｂ  折曲げ部
８  側壁
Ｂ  係止ベルト
Ｐ  摘み体
【図１】
0005444550.tif 000002
【図２】
0005444550.tif 000003
【図３】
0005444550.tif 000004
【図４】
0005444550.tif 000005
【図５】
0005444550.tif 000006
【図６】
0005444550.tif 000007